(57)【要約】【課題】熱機械的に変形可能な、密度が高く連続的な材料ストランドを押し出すための方法および装置の提供。【解決手段】射出成形の分野において知られる装置構成よりも顕著に小さい長さ／直径の比を有するスクリュー押出機の材料供給部を採用し、かつ、垂直に配置されたスクリュー押出機においてファネル状の導入領域に配置された粉砕具を用いることを特徴とする。この粉砕具は、材料がファネル内で回転移動することを防止することで、スクリューフランクのピッチと共にスクリュー押出機の搬送方向への移動を生じさせる。また、粗い材料の部分が粉砕されることにより、スクリュー領域におけるかさ密度が高められ、可塑化および均質化ゾーンの領域において、材料から押し出される必要のある空気の量が少なくなり、上記の目的が達成される。【選択図】図１
2020525328.tif 000002
【特許請求の範囲】
【請求項１】
熱機械的に変形可能な粒状物（６）を押し出す装置であって、
垂直に配置されたスクリュー押出機であって、長さ／直径の比が１〜１０、好ましくは１〜３のコンパクト構造のスクリュー押出機を備え、
前記スクリュー押出機は、充填装置（３）と、充填ファネル（４）に連結された押出機スクリュー（２）と、前記スクリュー押出機の導入領域に径方向に固定または移動可能に配置されて、前記充填ファネル（４）の前記導入領域を小さくするメンバーとを有する、装置において、
前記メンバーは、コーン（５）のピッチ円部分からなり、かつ、前記充填装置（３）とは径方向反対側に配置されている粉砕具であることを特徴とする装置。
【請求項２】
請求項１に記載の装置において、前記粉砕具は、前記充填ファネル（４）の内側ファネル壁に連結されていることを特徴とする装置。
【請求項３】
請求項１に記載の装置において、前記メンバーは、充填装置（３）の垂直に延びる壁（９）からなる粉砕具として設けられていることを特徴とする装置。
【請求項４】
請求項１に記載の装置において、前記メンバーは、充填装置（３）の反対側に配置された状態で、垂直に延びるリブまたはブレードからなる粉砕具であることを特徴とする装置。
【請求項５】
請求項１から４のいずれか一項に記載の装置において、前記粉砕具および押出機スクリュー（２）の硬度は、処理される前記材料（６）の硬度以上であることを特徴とする装置。
【請求項６】
熱機械的に変形可能な粒状物（６）を押し出す方法であって、
垂直に配置された小さい構造的寸法のスクリュー押出機であって、充填装置（３）と、充填ファネル（４）に連結された押出機スクリュー（２）と、前記スクリュー押出機の導入領域に径方向に固定または移動可能に配置されて、前記充填ファネル（４）の前記導入領域を小さくするメンバーとを有するスクリュー押出機を備える装置を使用する方法において、
粉砕具からなる前記メンバーは、内方へと落下する前記粒状物（６）が前記充填ファネル（４）内へと落下し、前記押出機スクリュー（２）によって前方へと搬送されるように前記粒状物（６）を粉砕し、
前記粉砕具は、供給された前記材料（６）を粉砕して主に粉塵状の材料（６）を生じさせることで、沈降する前記粉塵が前記粒状物（６）における中間空間を満たし、圧縮し、均質化し、かつ、これにより、その後の短くなった圧縮ゾーン（７）において、圧縮および均質化された前記材料（６）が溶融され、その後の使用のために、短くなった排出ゾーン（８）において前記スクリュー押出機から排出され、
前記スクリュー押出機の長さ／直径の比は１〜１０、好ましくは１〜３となることを特徴とする方法。
【発明の詳細な説明】
【技術分野】
【０００１】
本発明は、金属、セラミックおよびプラスチックからなる射出成形用粒体を用いた付加製造のための縦型スクリュー押出機の構造的寸法を低減する装置および方法に関する。本発明は、さらに、コンパクト構造タイプのスクリュー押出機に関する。
【背景技術】
【０００２】
熱的および機械的影響下で可塑化することができる材料の押出しは、現在では、主に射出成形およびダイカストの分野において用いられている。このような場合には、生産される各部品に対して射出成形用金型が必要となることから、これらの方式は主にバッチ式の用途に適している。また、様々な付加製造方法が確立されて以来、熱可塑性材料または金属材料から複雑な３次元部品を生産することもできるようになった。これにより、金型を作製する必要がなくなった。これらの付加製造方法の一部においては、３次元部品を層毎に作製するために押出プロセスが用いられる。したがって、例えば、ＣＥＭ法のためにコンパクトなスクリュー押出機が必要とされている。
【０００３】
射出成形の分野では、一般的に、以下の目的を有するいわゆる３ゾーン型スクリュー押出機が用いられる。
−  材料の導入；
−  ノズルへの材料の搬送；
−  材料の圧縮および通気；
−  材料の均等化；
−  金型を充填するための圧力の上昇。
【０００４】
上記の材料を取り込んで搬送できるようにするために、一般的に、スクリューブレードの外径とスクリューシャフトの半径との間の比は、加工される粒体の粒径の倍数となるように選択される。材料を圧縮および均等化することにより、空気を含まない材料を均一に押出すために必要な圧力の上昇が生じる。このとき、過度に高い圧縮率とすると、材料のせん断荷重が高くなることを考慮しなければならない。特に、複合材料の場合、望ましくない分離作用が生じるおそれがある。このようなことを防止しつつ十分な圧縮および均等化を達成するために、スクリューの直径を大きくし過ぎないように増大させることが選択される。この構造的な解決手段では、圧縮ゾーンが比較的長くなる。したがって、スクリューの直径とスクリューの長さとの間の従来的な比は約１６〜２０である。よりコンパクトなスクリュー押出機が記載されている解決手段が知られている。
【０００５】
欧州特許第１０６３０７５号公報（特許文献１）には、平行に配置された複数のスクリューを用いることにより押出機の全体長さを低減したコンパクトなスクリュー押出機が記載されている。この場合、２つのスクリューがそれぞれ共通のチャンバ内を一方向に延びている。チャンバの端において、材料は通路を通って他のチャンバへと送られ、この他のチャンバ内では、平行に延びる２つのスクリューが材料を反対方向に搬送する。この場合、材料が段階的に圧縮されるようにスクリューピッチが変化する。平行に延びるスクリューを有する複数のチャンバを互いに隣合うように配置することにより、圧縮度を調節することが可能である。この文献に記載された解決手段は、上記チャンバを平行に配置することにより幅を大きくすることで、押出機ハウジングの長さを低減している。この場合、上記押出機の設置スペースおよび重量は低減されず、上記材料は全てのチャンバを通過する必要があることから、スクリューの有効長も低減されない。
【０００６】
また、中国特許出願公開第１０５９３６１１９号明細書（特許文献２）にも、コンパクトな構造のスクリュー押出機が記載されている。この解決手段では、１つのハウジング内に２つのスクリューを同軸に設けた構成が用いられている。この場合、材料は、先ず、中空シャフトとして構成された外側のスクリューに径方向に供給される。搬送方向の端部において、上記材料は、反対方向への搬送を行う他のスクリューを中空シャフト内に配置することにより形成される隙間へと、方向を変えて送られる。中空のシャフトスクリューの内壁に逆スクリュー構造をさらに設けることによって、さらに高い圧縮効果が得られる。この解決手段も押出機ハウジングの長さを低減するものの、材料が、スペースを節約して配置された付加的なスクリューへと送られることにより、スクリューの有効長はほとんど同一のままである。これにより、押出機ハウジングの直径およびその質量が増大する。
【０００７】
熱機械的に変形可能な材料を用いた付加製造の分野においては、押出プロセスを行うために、加熱ノズルに押し込まれるプラスチックワイヤが主に使用される。この分野においても、押出プロセスのためにスクリュー押出機を使用する解決手段が知られている。
【０００８】
独国実用新案第２０２００５０１８６８５号公報（特許文献３）には、押出機へ導入する際に、スクリューブレードにおけるスクリューの駆動部に面する切断刃により熱可塑性材料を切断する手動式の溶接押出機が記載されている。この材料は、導入ねじ部を介して当該スクリュー押出機へと供給される。この導入ねじ部は、熱可塑性材料を上記スクリューに供給するチャネル内の位置まで延びている。さらに、この導入チャネルにおいて導入ねじ部の反対側に、導入ねじ部に対して調節可能なカウンタ・テンションを生じさせるための装置が配置されている。カウンタ・テンション・メンバーを有する導入チャネルおよび導入ねじ部の構成から、手動式の溶接押出機において一般的に使用されるように、フィラメント又はプラスチック材料の溶接ワイヤを加工するための解決手段が用いられているということが明白である。上記装置は、ロールに巻き付けられた材料を引き出し、この材料がスクリューターンの切断刃によって切断される押出機へと供給するように構成されている。粒状の射出成形材料は上記のカウンタ・テンション・メンバーおよび導入ねじ部を介して引き出すことができないことから、この解決手段は、粒状の射出成形材料の加工には適していない。その結果、粒状の射出成形材料はどこにも固定されていないことから、上記スクリューの切断刃はこの材料に対していかなる力を加えることもできない。
【０００９】
独国特許出願公開第１０２０１４０１８０８１号明細書（特許文献４）には、金属部品の付加製造のための設備が記載されている。この場合においても、粒状の材料を加工するスクリュー押出機が使用されている。３次元部品を作製するために、熱可塑的に変形可能な材料が、垂直に配置されたスクリュー押出機により、変位可能な印刷ヘッドにおいて層として押し出される。この文献に記載された解決手段は、主に、システム全体における印刷ヘッドの配置および上記材料が印刷ヘッドに供給される方法に関する。さらに、粒体の加工に基づいていない他の押出機の構成も記載されている。この解決手段には、均一に高い圧縮率を有する可能な限り小さい構造的寸法について、押出機がどのように構成されているのかが記載されていない。ここでは、単に、円錐状に形成された圧縮スクリューが使用されているという点について引用している。
【００１０】
また、米国特許出願公開第２０１５／０３２１４１９号明細書（特許文献５）には、粒状物の付加製造のための設備が記載されている。ここでも、垂直方向および水平方向のいずれの方向にも構成可能であるものの、常に固定的に設けられるスクリュー押出機が使用されている。上記材料は、ファネルおよびスライドを介して、直接パイプ壁の開口を通じて押出機スクリューに案内される。この場合、上記スクリューは３ゾーン型スクリューとして構成されており、長さ／直径の比は１５〜２４である。その結果、直径がより小さいスクリューが使用されているものの、長さ／直径の比は、射出成形分野の従来的な３ゾーン型押出機スクリューにおける比と同じである。長さ／直径の比を低減することについては記載されていない。材料受け部材をパイプ部として構成することにより、上記押出機は、単に、縦方向（垂直）に配置された従来的な３ゾーン型スクリュー押出機の構成となる。
【００１１】
詳細には、付加製造のためのスクリュー押出機の使用は、押出機が変位可能に構成される必要があること又は構築領域全体が移動することから、特に、スクリューの長さによって定められるその構造的寸法およびその重量により限定されている。しかしながら、後者の解決手段では、実質的にプリンタ全体のサイズを大きくすることが必要となる。
【００１２】
先行技術から知られている解決手段では、現在のところ、押出機スクリューの長さ／直径の比を低減することはできない。付加製造プロセスにおいて高い構築速度、すなわち高速性を実現するためには、装置における変位可能な要素が可能な限り速やかに移動されることが必要である。特許文献５に記載の解決手段の場合、押出機はこれ以上小さくすることができないことから、部品が印刷される構築表面がｘ，ｙおよびｚ方向に移動される。より大きい部品の場合またはより高い密度を有する材料を使用する場合には、移動する質量が大きいことにより、高い構築速度を実現することはできない。知られている他の解決手段は、押出機の長さのみを低減し、構造的寸法またはその質量を低減するものではない。また、長さ／直径の比も実質的に変わっていない。
【００１３】
オーストリア国特許第４０７８４８号（特許文献６）には、熱可塑性プラスチック廃棄物を処理する装置が記載されている。プラスチック材料を供給するために円錐台形状の容器が使用される。処理されたプラスチック材料は、排出開口を介して下流の押出機へと送られる。上記容器には、コアとその上に形成されたスクリュー螺旋とを有する第１のスクリューが少なくとも設けられている。上記容器の内壁にはスクリュー螺旋が設けられており、このスクリュー螺旋により、プラスチック廃棄物が押出機へと搬送され、そこから押出機スクリューによって前方へと搬送される。この解決手段は、プラスチックバッチ材料を処理する装置に向けられており、当該装置は、上記容器内におけるプラスチック材料のブリッジ形成という課題に対する解決手段を提供し、かつ、適切な充填効果を奏し、下流の押出機へと十分な材料供給を行うものである。極めて異なるパッキング密度および材料組成のプラスチックバッチ材料を加工することが可能である。
【００１４】
スイス国特許出願公開第５０３５６３号明細書（特許文献７）は、粉末状、粒状などの熱可塑性材料、特に、流体状の流動挙動を有し流動性メルトとなる熱可塑性材料を加工するスクリュープレスに関する。螺旋の内側に固定的な保持壁が設けられていることにより、搬送される材料塊が充填シャフト内で共に回転すること又は迂回することが防止されるように意図されている。付加的な変位部材により、粉末状または流体状の粒子が径方向に移動できる経路が自在に短くされ、最も好適な値に調節されるように構成されている。
【００１５】
独国特許出願公開第１２７１９７３号明細書（特許文献８）は、見かけ上の重量が極めて小さい熱可塑性プラスチック材料（特に、廃棄物）に用いられる連続動作スクリュープレスに関する。このスクリュープレスは、特に、回転する水平方向のスクリューを備え、このスクリューは異なるウェブ高さを有し、充填端において顕著に円錐状に大きくなっており、搬送方向に向かって小さくなっている。導入ゾーンの領域において、上記スクリューを囲む内側ハウジング壁は長手方向の波形を有する。上記スクリューウェブは、アンダーカットおよび／または凹部を有する駆動フランクのエッジに沿って設けられている。供給開口の内壁には鋸歯状に形成された切断刃が設けられており、この切断刃は、回転するスクリューウェブと共に、供給された材料を粉砕する装置を構成している。
【００１６】
独国特許出願公開第１０２０１３００２５５９号明細書（特許文献９）には、プラスチックポリマーからなる初期材料を搬送し、溶融し、均等化する単軸可塑化装置、特に、プラスチック射出成形機が開示されている。スクリューの直径Ｄは少なくとも１５０ｍｍであり、スクリューの直径Ｄに対する有効長Ｌの比Ｌ／Ｄが１〜８である。上記スクリューは水平方向に配置されており、充填シャフトは、このスクリューに対して９０°の角度で配置されている。
【先行技術文献】
【特許文献】
【００１７】
【特許文献１】欧州特許第１０６３０７５号公報
【特許文献２】中国特許出願公開第１０５９３６１１９号明細書
【特許文献３】独国実用新案第２０２００５０１８６８５号公報
【特許文献４】独国特許出願公開第１０２０１４０１８０８１号明細書
【特許文献５】米国特許出願公開第２０１５／０３２１４１９号明細書
【特許文献６】オーストリア国特許第４０７８４８号
【特許文献７】スイス国特許出願公開第５０３５６３号明細書
【特許文献８】独国特許出願公開第１２７１９７３号明細書
【特許文献９】独国特許出願公開第１０２０１３００２５５９号明細書
【発明の概要】
【発明が解決しようとする課題】
【００１８】
本発明の目的は、スクリュー押出機の長さ／直径の比を大幅に低減することである。同時に、密度が高く連続的な材料ストランドを押し出すために、粒状物を高度に圧縮することも意図されている。このようなスクリュー押出機は、その質量および構造的寸法がより小さいことにより、移動可能な用途、特に、付加製造プロセスに使用することができる。
【課題を解決するための手段】
【００１９】
本発明の上記目的は、縦方向に配置されたスクリュー押出機においてファネル状の導入領域に配置された粉砕具によって達成される。また、この場合、前記粉砕具は、前記材料が前記ファネル内で回転移動することを防止することで、スクリューフランクのピッチと共に前記スクリュー押出機の搬送方向への移動を生じさせる。一方、粗い材料の部分が粉砕されることにより、前記スクリューの領域におけるかさ密度が高められ、可塑化および均質化ゾーンの領域において、前記材料から押し出される必要のある空気の量が少なくなる。
【００２０】
本発明に係る熱機械的に変形可能な粒状物を押し出す装置は、長さ／直径の比が１〜１０、好ましくは１〜３であるコンパクトな構造の、縦方向に配置されたスクリュー押出機と、充填装置と、充填ファネルに連結されたと押出機スクリューとを備える。さらに、前記スクリュー押出機の前記導入領域に径方向に固定または移動可能に配置されたメンバーであって、前記充填ファネルの前記導入領域を小さくするメンバーが設けられている。前記メンバーは、コーンのピッチ円部分（Teilkreisschnitt）からなる粉砕具であり、前記充填装置とは径方向反対側に配置されており、これにより、前記押出機スクリューの外径／コア半径の比は、前記粒状物の直径の１〜１．５倍となる。前記粉砕具は、前記充填ファネルの内側ファネル壁に連結されている。
【００２１】
他の実施形態について、前記メンバーは、充填装置の反対側に配置された状態で、縦方向に延びる壁からなる粉砕具である。
他の実施形態について、前記メンバーは、充填装置の反対側に配置された状態で、縦方向に延びるリブまたはブレードからなる粉砕具である。
前記粉砕具および押出機スクリューの硬度は、有利なことに、処理される前記材料の硬度以上である。
【００２２】
本発明に係る熱機械的に変形可能な粒状物を押し出す方法は、縦方向に配置された小型のスクリュー押出機であって、充填装置と、充填ファネルに連結された押出機スクリューとを有するスクリュー押出機を備える装置を使用する。前記スクリュー押出機の前記導入領域に径方向に固定または移動可能に配置されたメンバーは、前記充填ファネルの前記導入領域を小さくすることにより、内方へと落下する前記粒状物が前記充填ファネル内へと落下し、前記押出機スクリューによって前方へと搬送されるように前記粒状物を粉砕し、前記粉砕具は、供給された前記材料を粉砕して主に粉塵状の材料（staubfoermigen Material）を生じさせることで、沈降する前記粉塵が前記粒状物における中間空間を満たし、圧縮し、均質化する。その後の短くなった圧縮ゾーンにおいて、圧縮および均質化された前記材料が溶融され、その後の使用のために、短くなった排出ゾーンにおいて前記スクリュー押出機から排出され、前記スクリュー押出機の長さ／直径の比は１〜１０、好ましくは１〜３となる。前記充填ファネルの前記導入領域は、前記押出機スクリューの外径／コア半径の比が、搬送される前記粒状物の直径の１〜１．５倍となるように、前記粉砕具によって縮小されている。
【００２３】
これにより押出機スクリューに対して実現可能となるより小さい構造的寸法の効果は、例えば付加製造に用いるための、コンパクトかつ移動可能なスクリュー押出機の構成と関連している。前記押出機の質量を低減した結果、先行技術に記載された解決手段と比較して、さらに高い構築速度を実現することが可能である。前記押出機の構造的寸法を小さくしたにも拘らず、射出成形の分野における比較的粗い標準粒体を使用することも可能である。
【図面の簡単な説明】
【００２４】
【図１】縦型スクリュー押出機の導入領域における本発明に係る解決手段の第１実施形態の図である。
【図２】図１の平面図である。
【図３】図１の細部を示す図である。
【図４】図１の細部を示す別の図である。
【図５】粒状物を共に、図１の細部を示す別の図である。
【図６】他の実施形態の平面図である。
【図７】充填ファネルの内壁において反対方向を向くねじ部を有する他の実施形態の図である。
【発明を実施するための形態】
【００２５】
本発明について、実施形態に言及しつつ、より詳細に説明する。
図１には、本発明の第１実施形態に係る装置が示されている。この場合において、縦型押出機１が押出機スクリュー２を有していることが分かる。押出機１は、充填装置３に連結されている。充填装置３は、押出機スクリュー２に面する端部において、押出機スクリュー２に対して同軸で直接隣接する充填ファネル４に連結されており、粒状の材料６が充填装置３から充填ファネル４へと搬送される。粉砕具により、前記スクリュー押出機の構造的高さが小さくなり、かつ長さ／直径の比が低減される。前記粉砕具は、前記スクリュー押出機の前記導入領域に、好ましくは充填ファネル４に、固定的または移動可能に径方向に配置されている。
【００２６】
図１から図４に示された解決手段は、粉砕具として、充填装置３とは径方向反対側に配置され且つ充填ファネル４に取り外し可能に連結されたコーン５のピッチ円部分を有する。コーン５により、充填ファネル４の重点領域は、当該位置において、押出機スクリュー２の外径／コア半径の比が搬送される粒状物６の直径の僅か１〜１．５倍となる程度まで縮小される（図３）。内方へと落下する粒状物６は充填ファネル４内へと落下し、押出機スクリュー２によって前方へと搬送される。一方、充填ファネル４内にコーン５が径方向に配置されていることにより、押出機スクリュー２の縁部において供給された材料６が周方向にのみ（すなわち、押出機スクリュー２の回転と共にのみ）移動してしまい、下方へ搬送されないことが防止される。押出機スクリュー２の縁部に位置する粒状物６の粒子がコーン５に当たると、周方向への移動が阻害されることによって、軸方向への移動が生じる（図４）。スクリューシャフト２０１とスクリューブレード２０２との間にある極めて小さい中間空間により、材料６はそのまま前方へ搬送されることはなく、粉砕される（図５）。スクリューシャフト２０１およびコーン５は、加工される材料６に応じた適切な材料から製造されなければならない。スクリューシャフト２０１およびコーン５の硬度は、加工される材料６の硬度以上である必要がある。材料６を粉砕することにより、充填ファネル４に微細な粉塵が蓄積することになる。この沈降する粉塵により、スクリューターン２０３内の粗い材料６のかさ密度によって生じる空間が満たされる。これにより、搬送される材料６の圧縮および均等化が、熱的な影響を伴うことなく、導入時に既に行われる。また、押出機１において下方へ搬送される空気が少ないので、材料６は、その後の圧縮ゾーン７においてより速やかに溶融させることが可能である。圧縮ゾーン７および排出ゾーン８が実質的に短くなることにより、押出機１は実質的によりコンパクトとなり、長さ／直径の比として３〜１０から１〜３を実現することができる。
【００２７】
図６には、他の実施形態が示されている。図６において、図１から図５の部品と同一の部品については全て、これらの図で用いた符号と同一の符号で示されている。基本的な構造は図１に言及しつつ説明されており、この説明を引用する。
図６に示された解決手段は、粉砕具として、縦方向に延びる壁（Wand）９を備え、この壁は、コーン５と同様に、充填装置３とは径方向反対側に設けられている。縦方向に延びる壁９はコーン５と同様に作用するので、詳細な説明は省略する。同様に、コーン５と同じように粒状物６に作用するリブ若しくはブレード、または縦方向に延びる壁９は、充填ファネル４のファネル壁に取り外し可能かつ移動不能に配置することも可能である。
【００２８】
図７には、反対方向を向く螺旋スクリュー１０が充填ファネル４の内壁４０１に設けられている他の実施形態が示されている。スクリューシャフト２０１とは反対方向を向く螺旋スクリュー１０の回転により、粒状物６は押出機スクリュー２へと送られ、材料６のうちの大きすぎる構成部分が圧縮粉砕されるので、前記材料をさらに圧縮することが可能である。
前記粉砕具は、固定要素および回転要素のいずれとしても構成することが可能であるる。
【００２９】
本発明に係る装置は、広い速度範囲の押出機スクリュー２において機能する。したがって、当該装置は、低いスクリュー速度を必要とする材料６を用いる場合にも使用できる。
また、前記導入領域の温度は材料６に応じた温度である。複合材料などの脆性材料６は、固体状態で粉砕する必要がある。純粋な熱可塑性プラスチック材料などの靱性材料は、そのガラス転移温度の範囲内の温度を必要とする。
移動可能な粉砕装置の場合、前記粉砕は、前記導入領域の一定部品において行うことができ、前記スクリューに対する相対移動として行わなくてもよい。
【符号の説明】
【００３０】
１…押出機
２…押出機スクリュー
２０１…スクリューシャフト
２０２…スクリューブレード
２０３…スクリューターン（ピッチ間隔）
３…充填装置
４…充填ファネル
４０１…充填ファネル４の内壁
５…コーン
６…粒状の材料
７…圧縮ゾーン
８…排出ゾーン
９…垂直に延びる壁
１０…反対方向を向く螺旋スクリュー
【図１】
2020525328.tif 000003
【図２】
2020525328.tif 000004
【図３】
2020525328.tif 000005
【図４】
2020525328.tif 000006
【図５】
2020525328.tif 000007
【図６】
2020525328.tif 000008
【図７】
2020525328.tif 000009
【国際調査報告】
2020525328.tif 000010
2020525328.tif 000011
2020525328.tif 000012
2020525328.tif 000013
2020525328.tif 000014
2020525328.tif 000015